(57)【特許請求の範囲】
【請求項１】
細長いプラスチック製の枠部材を枠部材変形用器具に収容する工程と、
前記枠部材が収容された前記枠部材変形用器具をマスク着用予定者の顔に当てて変形させることによりフィッティングを行う工程と、
変形した前記枠部材変形用器具および前記枠部材を加熱することにより前記枠部材を硬化させる工程と、
加熱された前記枠部材変形用器具および前記枠部材を冷却し、当該枠部材変形用器具から前記枠部材を取り出す工程と、
マスク本体に形成されているポケットに前記枠部材を入れる工程と、
を備えた、マスク製造方法。
【請求項２】
前記枠部材変形用器具は、可撓性を有する金属を含む、請求項１記載のマスク製造方法。
【請求項３】
前記枠部材を硬化させる工程において、変形した前記枠部材変形用器具および前記枠部材を４０℃以上１００℃以下の湯に入れることにより加熱する、請求項１または２記載のマスク製造方法。
【請求項４】
前記枠部材を硬化させる工程において、変形した前記枠部材変形用器具および前記枠部材に熱風を供給することにより加熱する、請求項１または２記載のマスク製造方法。
【請求項５】
前記ポケットは、前記マスク本体におけるマスク着用予定者の鼻が当たる部分の近傍に形成されている、請求項１乃至４のいずれか一項に記載のマスク製造方法。
【請求項６】
複数の保持部と、
可撓性を有する細長い接続部と、
を備え、
前記保持部には、前記接続部が通る貫通穴および細長い枠部材を収容するための収容部分が形成されており、
前記接続部は各前記保持部の前記貫通穴を通っており、
前記枠部材を各前記保持部の前記収容部分にまたがって収容することができるようになっている、枠部材変形用器具。
【請求項７】
前記接続部が前記貫通穴を通る複数の前記保持部のうち少なくとも両端に位置する前記保持部が前記接続部に取り付けられている、請求項６記載の枠部材変形用器具。
【請求項８】
前記接続部が前記貫通穴を通る複数の前記保持部のうち両端に位置する前記保持部以外の各前記保持部は前記接続部に取り付けられておらず、前記接続部が各前記保持部の前記貫通穴の内部で相対的に移動することができるようになっている、請求項７記載の枠部材変形用器具。
【請求項９】
前記接続部の材料は金属である、請求項６乃至８のいずれか一項に記載の枠部材変形用器具。
【請求項１０】
前記金属はアルミニウム、錫、アルミニウムを含む合金、錫を含む合金のうち少なくとも何れかのものを含む、請求項９記載の枠部材変形用器具。
【発明の詳細な説明】
【技術分野】
【０００１】
本発明は、マスク製造方法および枠部材変形用器具に関する。
【背景技術】
【０００２】
従来より、人の顔の鼻および口を覆うマスクとして、顔とマスクとの隙間を塞ぐことができるようなものが求められている。例えば、特許文献１には、マスク本体の上縁近傍におけるマスク着用者の鼻に対応する部位に、着用者の鼻の隆起にフィットするように変形できる帯状のノーズクリップが設けられたマスクが開示されている。
【０００３】
ここで、人の顔の形状はまちまちであり、市販されている汎用品のマスクでは顔の形状によっては顔とマスクとの隙間を完全に塞ぐことができない場合がある。このため、その人の顔の形状にマッチしたオーダーメイドのマスクが求められている。特許文献２には、熱湯に浸して変形可能となった枠部材を、被覆対象領域を囲むようにマスク着用予定者の顔に当ててフィッティングさせ、冷めて固まった枠部材にフィルタ部材を取り付けてマスクを製造する技術が開示されている。
【先行技術文献】
【特許文献】
【０００４】
【特許文献１】米国特許第４５３６４４０号
【特許文献２】特開２００８−２５９７３７号公報
【発明の概要】
【発明が解決しようとする課題】
【０００５】
特許文献１記載のマスク製造方法では、熱湯に浸して変形可能となった枠部材を、マスク着用予定者の顔に当ててフィッティングさせるため、高温の枠部材が直接当たることにより顔が火傷してしまう可能性があるという問題がある。
【０００６】
本発明は、このような点を考慮してなされたものであり、安全かつ簡単な方法でオーダーメイドのマスクを製造することができるマスク製造方法および枠部材変形用器具を提供することを目的とする。
【課題を解決するための手段】
【０００７】
本発明のマスク製造方法は、
細長いプラスチック製の枠部材を枠部材変形用器具に収容する工程と、
前記枠部材が収容された前記枠部材変形用器具をマスク着用予定者の顔に当てて変形させることによりフィッティングを行う工程と、
変形した前記枠部材変形用器具および前記枠部材を加熱することにより前記枠部材を硬化させる工程と、
加熱された前記枠部材変形用器具および前記枠部材を冷却し、当該枠部材変形用器具から前記枠部材を取り出す工程と、
マスク本体に形成されているポケットに前記枠部材を入れる工程と、
を備えたことを特徴とする。
【０００８】
本発明の枠部材変形用器具は、
複数の保持部と、
可撓性を有する細長い接続部と、
を備え、
前記保持部には、前記接続部が通る貫通穴および細長い枠部材を収容するための収容部分が形成されており、
前記接続部は各前記保持部の前記貫通穴を通っており、
前記枠部材を各前記保持部の前記収容部分にまたがって収容することができるようになっていることを特徴とする。
【発明の効果】
【００１０】
本発明のマスク製造方法および枠部材変形用器具によれば、安全かつ簡単な方法でオーダーメイドのマスクを製造することができる。
【図面の簡単な説明】
【００１１】
【図１】本発明の実施の形態による枠部材変形用器具を示す斜視図である。
【図２】図１に示す枠部材変形用器具における接続部を示す斜視図である。
【図３】図１に示す枠部材変形用器具における保持部および接続部の断面図である。
【図４】図１に示す枠部材変形用器具に枠部材を嵌め込む動作を示す斜視図である。
【図５】枠部材が嵌め込まれた枠部材変形用器具をマスク着用予定者の顔に当てて変形させることによりフィッティングを行う動作を概略的に示す図である。
【図６】変形した枠部材変形用器具から枠部材を取り出す動作を示す斜視図である。
【図７】枠部材変形用器具から取り出された、変形した枠部材の構成を示す構成図である。
【図８】マスク本体に形成されているポケットに枠部材を入れる動作を示す図である。
【図９】ポケットに枠部材が入れられたマスクを示す図である。
【図１０】本発明の実施の形態によるマスクをマスク着用予定者が着用したときの状態を示す図である。
【発明を実施するための形態】
【００１２】
以下、図面を参照して本実施の形態について説明する。図１乃至図１０は、本実施の形態によるマスク製造方法、枠部材変形用器具およびマスクを示す図である。
【００１３】
本実施の形態によるマスク製造方法および枠部材変形用器具１０は、マスク着用予定者の顔の形状にマッチしたオーダーメイドのマスクの製造に関するものである。このようなマスク製造方法および枠部材変形用器具１０により製造されたマスクは、マスク着用予定者の顔との間の隙間を完全に塞ぐことができるため、とりわけ医療用に用いることができる。
【００１４】
本実施の形態のマスク製造方法および枠部材変形用器具１０により製造されるマスクは、マスク本体５０に形成されるポケット５４に、マスク着用予定者の顔の形状に合わせて変形した枠部材４０が入れられたものである。このようなマスクの製造方法、具体的には枠部材４０を変形させる方法について以下に説明する。
【００１５】
まず、枠部材４０を変形させる際に用いられる枠部材変形用器具１０の構成について図１乃至図３を用いて説明する。図１は、本実施の形態による枠部材変形用器具１０を示す斜視図であり、図２は、図１に示す枠部材変形用器具１０における接続部３０を示す斜視図である。また、図３は、図１に示す枠部材変形用器具１０における保持部２０および接続部３０の断面図である。
【００１６】
図１乃至図３に示すように、本実施の形態による枠部材変形用器具１０は、複数の保持部２０と、可撓性を有する細長い接続部３０とを備えている。図３に示すように、各保持部２０には、接続部３０が通る貫通穴２２および溝部分２４が形成されており、接続部３０は各保持部２０の貫通穴２２を通っている。また、各保持部２０の溝部分２４に、後述する細長いプラスチック製の枠部材４０を嵌め込むことができるようになっている。
【００１７】
各保持部２０は細長い略直方体形状のものとなっており、図１の奥行き方向（接続部３０の長手方向）における各保持部２０の長さは３ｍｍ〜１０ｍｍの範囲内の大きさとなっており、図１の高さ方向における各保持部２０の高さは１０ｍｍ〜２０ｍｍの範囲内の大きさとなっており、図３の左右方向における各保持部２０の幅の大きさは３ｍｍ〜８ｍｍの範囲内の大きさとなっている。各保持部２０の材料は、例えば熱が加えられても変形しない樹脂や金属である。枠部材変形用器具１０は、１０個〜１００個の範囲内の個数の保持部２０を有しており、これらの保持部２０の貫通穴２２に接続部３０が通されることにより各保持部２０が互いに接続される。また、接続部３０が貫通穴２２を通る複数の保持部２０のうち少なくとも両端に位置する保持部２０が接続部３０に取り付けられている。このことにより、接続部３０が貫通穴２２を通っている各保持部２０が接続部３０から離間してしまうことを防止することができる。一方、それ以外の各保持部２０は接続部３０に取り付けられていない。このため、接続部３０が各保持部２０の貫通穴２２の内部で相対的に移動することができるようになるため、各保持部２０は他の保持部２０から独立して動くことが可能となる。このことにより、各保持部２０の位置を、隣にある保持部２０に対して、接続部３０が貫通穴２２内を移動する範囲内でずらすことができるようになっている。
【００１８】
接続部３０は、可撓性を有する細長い金属板から構成されている。具体的には、接続部３０を構成する金属は、例えばアルミニウム、錫、アルミニウムを含む合金、錫を含む合金のうち少なくとも何れかのものを含む。アルミニウムを含む合金は、アルミニウムと錫との合金、アルミニウムと銅との合金、アルミニウムと銀との合金またはアルミニウムと銅と銀との合金等である。また、錫を含む合金は、錫と銅の合金、錫と銀の合金または錫と銅と銀の合金である。なお、接続部３０を構成する金属はこのような材料に限定されることはない。可撓性を有する細長い金属板であれば、接続部３０として他の種類の金属が用いられてもよい。また、接続部３０は金属に限定されることはない。可撓性を有する細長い材料であれば、接続部３０として金属板以外のものが用いられてもよい。このような接続部３０の長手方向における長さは５ｃｍ〜３０ｃｍの範囲内の大きさとなっており、図２の高さ方向における接続部３０の高さは５ｍｍ〜２０ｍｍの範囲内の大きさとなっており、接続部３０の厚さは０．１ｍｍ〜５．０ｍｍの範囲内の大きさとなっている。
【００１９】
次に、このような枠部材変形用器具１０を用いて枠部材４０を変形させる動作について図４乃至図７を用いて説明する。
【００２０】
まず、図４に示すように、枠部材変形用器具１０における各保持部２０の貫通穴２２に細長い枠部材４０を嵌め込む。ここで、枠部材４０としては、弾力性を有し、熱可塑性樹脂または熱硬化性樹脂からなるプラスチックが用いられる。このようなプラスチックは、加熱される前は可撓性を有しているが熱が加えられると硬化し、その後に冷却しても硬化した状態が維持されるものである。熱可塑性樹脂として、例えばポリエチレン、ポリプロピレン、ポリ塩化ビニル、ポリスチレン、ポリ酢酸ビニル、ポリウレタン、テフロン、ＡＢＳ樹脂、ＡＳ樹脂、アクリル樹脂等が挙げられる。また、熱硬化性樹脂として、例えばフェノール樹脂、エポキシ樹脂、メラミン樹脂、尿素樹脂（ユリア樹脂）、不飽和ポリエステル樹脂、アルキド樹脂、ポリウレタン、熱硬化性ポリイミド等が用いられる。このような枠部材４０の長手方向における長さは５ｃｍ〜３０ｃｍの範囲内の大きさとなっており、図４の高さ方向における枠部材４０の高さは５ｍｍ〜２０ｍｍの範囲内の大きさとなっており、枠部材４０の厚さは０．１ｍｍ〜３．０ｍｍの範囲内の大きさとなっている。
【００２１】
次に、図５に示すように、枠部材４０が各保持部２０の溝部分２４に嵌め込まれた枠部材変形用器具１０をマスク着用予定者の顔に当てて変形させることによりフィッティングを行う。具体的には、枠部材変形用器具１０の中央箇所がマスク着用予定者の鼻筋に当たるようにする。このことにより、枠部材変形用器具１０および枠部材４０がマスク着用予定者の顔の形状に沿って変形する。この際に、枠部材変形用器具１０の各保持部２０が隣にある保持部２０に対して移動可能となっていることにより、より精度良く各保持部２０をマスク着用予定者の顔にフィッティングさせることができる。
【００２２】
枠部材変形用器具１０をマスク着用予定者の顔に当てて変形させることによりフィッティングを行った後、マスク着用予定者の顔から枠部材変形用器具１０を離す。この際に、接続部３０の材料が可撓性を有する金属であるため、マスク着用予定者の顔から枠部材変形用器具１０を離しても変形した接続部３０の形状が維持される。よって、変形した枠部材４０の形状も維持される。そして、枠部材４０が各保持部２０の溝部分２４に嵌め込まれた状態で枠部材変形用器具１０および枠部材４０を加熱する。具体的には、変形した枠部材変形用器具１０および枠部材４０を例えば４０℃以上１００℃以下の熱湯に入れることにより加熱する。あるいは、変形した枠部材変形用器具１０および枠部材４０にドライヤー等で熱風を供給することにより枠部材変形用器具１０および枠部材４０を加熱してもよい。このことにより、各保持部２０の溝部分２４に嵌め込まれている枠部材４０が硬化する。
【００２３】
その後、図６に示すように、加熱された枠部材変形用器具１０および枠部材４０を冷却し、当該枠部材変形用器具１０から枠部材４０を取り出す。このことにより、図７に示すような、マスク着用予定者の顔の形状に沿って変形した枠部材４０が得られる。図７に示すように、変形した枠部材４０は、中央にある山形状部分４２と、山形状部分４２の両側にある谷形状部分４４とを含んでいる。山形状部分４２は、マスク着用予定者の鼻の形状に沿って変形したものであり、谷形状部分４４は、マスク着用予定者の鼻と頬の間の谷部分の形状に沿って変形したものである。
【００２４】
次に、マスク本体５０に形成されているポケット５４に枠部材４０を入れる。ここで、本実施の形態によるマスクは、マスク本体５０と、マスク本体５０の両側縁に設けられた耳に引っ掛けるための左右一対のバンド５２と、マスク本体５０の表面または裏面に形成されたポケット５４とを有しており、ポケット５４に枠部材４０を収容することができるようになっている。また、ポケット５４は、マスクにおけるマスク着用予定者の鼻が当たる部分の近傍に形成されている。このようにして、ポケット５４に枠部材４０を入れると、図９に示すような、マスク着用予定者の顔の形状に沿った枠部材４０が設けられたマスクが得られる。
【００２５】
図１０は、本実施の形態によるマスクをマスク着用予定者が着用したときの状態を示す図である。なお、図１０においてマスク着用予定者の顔を見やすくするためにマスクを二点鎖線で示している。人の顔のうち図１０において参照符号Ａで示す鼻筋の近傍の箇所は、この人が会話しても大きくは動かない部分である。一方、人の顔のうち図１０において参照符号Ｂで示す頬の近傍の箇所は、この人が会話したときに動く部分である。そして、人の顔のうち参照符号Ｂで示す箇所が動くと、図１０において参照符号Ｃで示す箇所において、従来のマスクでは人の顔との間に隙間が生じてしまう。これに対し、本実施の形態によるマスクでは、人の顔のうち図１０において参照符号Ａで示す鼻筋の近傍の箇所に枠部材４０の山形状部分４２が位置し、図１０において参照符号Ｃで示す鼻と頬の間の谷間の箇所に枠部材４０の谷形状部分４４が位置するようになる。また、枠部材４０は弾力性を有する部材から構成されている。このため、本実施の形態によるマスクをマスク着用予定者が着用したときに、人の顔における図１０において参照符号Ｃで示す鼻と頬の間の谷間の箇所に枠部材４０の谷形状部分４４が嵌まり込むため人の顔とマスクとの間に隙間が生じることを防止することができる。また、人の顔のうち参照符号Ｂで示す箇所が動いても、枠部材４０が弾力性を有する材料から構成されているため、人の顔の動きに合わせて枠部材４０の谷形状部分４４が変形することにより、図１０において参照符号Ｃで示す箇所で人の顔とマスクとの間に隙間が生じることはない。
【００２６】
以上のような構成からなる本実施の形態のマスク製造方法によれば、細長いプラスチック製の枠部材４０を枠部材変形用器具１０に収容する工程と、枠部材４０が収容された枠部材変形用器具１０をマスク着用予定者の顔に当てて変形させることによりフィッティングを行う工程と、変形した枠部材変形用器具１０および枠部材４０を加熱することにより枠部材４０を硬化させる工程と、加熱された枠部材変形用器具１０および枠部材４０を冷却し、当該枠部材変形用器具１０から枠部材４０を取り出す工程と、マスク本体５０に形成されているポケット５４に枠部材４０を入れる工程とを備えている。このようなマスク製造方法によれば、枠部材変形用器具１０および枠部材４０を加熱する前にマスク着用予定者の顔に当てて変形させることによりフィッティングを行うため、安全かつ簡単な方法でオーダーメイドのマスクを製造することができる。また、ユーザの顔の形状に合わせて枠部材４０を変形させるため、人の顔との間に隙間が生じることを防止することができるマスクをオーダーメイドで製造することができる。
【００２７】
また、本実施の形態のマスク製造方法においては、枠部材変形用器具１０は、可撓性を有する金属としての接続部３０を含んでいる。このことにより、枠部材４０が収容された枠部材変形用器具１０をマスク着用予定者の顔に当てて変形させることによりフィッティングを行った後、マスク着用予定者の顔から枠部材変形用器具１０を離しても、変形した枠部材変形用器具１０および枠部材４０の形状を維持することができる。
【００２８】
また、本実施の形態のマスク製造方法においては、枠部材４０を硬化させる工程において、変形した枠部材変形用器具１０および枠部材４０を４０℃以上１００℃以下の熱湯に入れることにより加熱するようになっている。あるいは、枠部材４０を硬化させる工程において、変形した枠部材変形用器具１０および枠部材４０に熱風を供給することにより加熱するようになっている。この場合には、簡単な方法で枠部材４０を加熱することができる。
【００２９】
また、本実施の形態のマスク製造方法においては、ポケット５４は、マスクにおけるマスク着用予定者の鼻が当たる部分の近傍に形成されている。この場合には、製造されたマスクにより、枠部材４０によってユーザの顔における鼻の近傍の箇所とマスクとの間に隙間が生じることを防止することができる。
【００３０】
また、本実施の形態の枠部材変形用器具１０によれば、複数の保持部２０と、可撓性を有する細長い接続部３０とを備え、保持部２０には、接続部３０が通る貫通穴２２および細長い枠部材４０を収容するための収容部分（具体的には、溝部分２４）が形成されており、接続部３０は各保持部２０の貫通穴２２を通っており、枠部材４０を各保持部２０の収容部分にまたがって収容することができるようになっている。この場合には、本実施の形態の枠部材変形用器具１０を用いて枠部材４０を変形させることができるため、安全かつ簡単な方法でオーダーメイドのマスクを製造することができる。また、ユーザの顔の形状に合わせて枠部材４０を変形させることができるため、人の顔との間に隙間が生じることを防止することができるマスクを得ることができる。
【００３１】
また、本実施の形態の枠部材変形用器具１０においては、接続部３０が貫通穴２２を通る複数の保持部２０のうち少なくとも両端に位置する保持部２０が接続部３０に取り付けられている。この場合は、接続部３０が貫通穴２２を通っている各保持部２０が接続部３０から離間してしまうことを防止することができる。また、接続部３０が貫通穴２２を通る複数の保持部２０のうち両端に位置する保持部２０以外の各保持部２０は接続部３０に取り付けられておらず、接続部３０が各保持部２０の貫通穴２２の内部で相対的に移動することができるようになっている。このことにより、各保持部２０は他の保持部２０から独立して動くことが可能となり、よって、各保持部２０の位置を、隣にある保持部２０に対して、接続部３０が貫通穴２２内を移動する範囲内でずらすことができるようになっている。
【００３２】
また、本実施の形態の枠部材変形用器具１０においては、接続部３０の材料は金属である。また、金属はアルミニウム、錫、アルミニウムを含む合金、錫を含む合金のうち少なくとも何れかのものを含む。この場合は、枠部材４０が嵌め込まれた枠部材変形用器具１０をマスク着用予定者の顔に当てて変形させることによりフィッティングを行う際に、常温でも接続部３０を変形させることができる。
【００３３】
また、本実施の形態のマスクによれば、ポケット５４が形成されているマスク本体５０と、ポケット５４に入れられている細長いプラスチック製の枠部材４０と、を備え、ポケット５４は、マスクにおけるマスク着用予定者の鼻が当たる部分の近傍に形成されており、枠部材４０は、変形した状態で加熱されることにより硬化した後に冷却されたものである。この場合は、ユーザの顔の形状に合わせて枠部材４０を変形させることができるため、人の顔との間に隙間が生じることを防止することができるオーダーメイドのマスクを得ることができる。
【００３４】
また、本実施の形態のマスクにおいては、枠部材４０は、中央にある山形状部分４２と、山形状部分４２の両側にある谷形状部分４４とを含んでいる。この場合は、人の顔のうち頬の近傍の箇所が動いても、枠部材４０が弾力性を有する部材から構成されているため、人の顔の動きに合わせて枠部材４０の谷形状部分４４が変形することにより、鼻と頬の間の窪みで人の顔とマスクとの間に隙間が生じることはない。
【００３５】
なお、本実施の形態によるマスク製造方法、枠部材変形用器具およびマスクは、上述したような態様に限定されることはなく、様々な変更を加えることができる。
【００３６】
例えば、本実施の形態によるマスク製造方法で用いられる枠部材変形用器具は、図１乃至図３に示す枠部材変形用器具１０に限定されることはない。細長いプラスチック製の枠部材４０を嵌め込むことができるものであれば、枠部材変形用器具として、図１乃至図３に示す枠部材変形用器具１０以外の構成のものが用いられもよい。
【００３７】
具体的には、例えば、複数の保持部２０において、枠部材４０が嵌め込まれる溝部分２４が形成されている代わりに、枠部材４０が通過する貫通穴が形成されていてもよい。また、別の態様として、各保持部２０の貫通穴２２に接続部３０および枠部材４０の両方が入るようになっていてもよい。すなわち、各保持部２０において、接続部３０が通る貫通穴２２および枠部材４０を収容する収容部分が共通のものとなっていてもよい。
【００３８】
また、本実施の形態によるマスク製造方法で用いられる枠部材変形用器具として、複数の保持部２０ではなく、断面がＵ字形状となっており可撓性を有する細長い金属体が用いられてもよい。金属体は、例えば錫、錫と銅の合金、錫と銀の合金または錫と銅と銀の合金から構成される。この場合は、金属体のＵ字形状の間に枠部材４０を挟み込み、枠部材４０が挟み込まれた金属体をマスク着用予定者の顔に当てて変形させることによりフィッティングを行う。そして、変形した金属体および枠部材４０を加熱し、加熱された金属体および枠部材４０を冷却した後、金属体から枠部材４０を取り出す。その後、マスク本体５０に形成されているポケット５４に枠部材４０を入れる。このようなマスク製造方法でも、金属体および枠部材４０を加熱する前にマスク着用予定者の顔に当てて変形させることによりフィッティングを行うため、安全かつ簡単な方法でオーダーメイドのマスクを製造することができる。また、ユーザの顔の形状に合わせて枠部材４０を変形させるため、人の顔との間に隙間が生じることを防止することができるマスクを得ることができる。
【００３９】
また、枠部材４０は細長い板状のものに限定されることはない。枠部材４０として、細長い棒状のもの等、板状以外の形状のものが用いられてもよい。
【符号の説明】
【００４０】
１０  枠部材変形用器具
２０  保持部
２２  貫通穴
２４  溝部分
３０  接続部
４０  枠部材
４２  山形状部分
４４  谷形状部分
５０  マスク本体
５２  バンド
５４  ポケット
【要約】      （修正有）【課題】安全かつ簡単な方法でオーダーメイドのマスクを製造することができるマスク製造方法、枠部材変形用器具およびマスクを提供する。【解決手段】マスク製造方法は、細長いプラスチック製の枠部材４０を枠部材変形用器具に収容する工程と、枠部材４０が収容された枠部材変形用器具をマスク着用予定者の顔に当てて変形させることによりフィッティングを行う工程と、変形した枠部材変形用器具および枠部材４０を加熱する工程と、加熱された枠部材変形用器具および枠部材４０を冷却し、当該枠部材変形用器具から枠部材４０を取り出す工程と、マスク本体５０に形成されているポケット５４に枠部材４０を入れる工程とを備えている。【選択図】図９【図１】
0006960552.tif 000002
【図２】
0006960552.tif 000003
【図３】
0006960552.tif 000004
【図４】
0006960552.tif 000005
【図５】
0006960552.tif 000006
【図６】
0006960552.tif 000007
【図７】
0006960552.tif 000008
【図８】
0006960552.tif 000009
【図９】
0006960552.tif 000010
【図１０】
0006960552.tif 000011